(57)【要約】【課題】  動画像の記録中におけるレリーズボタンの押下に対する動画像及び静止画像の撮像及び記録を制御することができる撮像装置を提供する。【解決手段】  被写体光を撮像する撮像素子２０と、前記撮像素子２０から出力される撮像信号に基づく動画像及び静止画像を記録する記録部２６と、前記静止画像の撮像を指示するレリーズボタン２３と、前記動画像の記録が行われている最中における前記レリーズボタン操作による撮像指示を、有効とするか無効とするかを設定する設定部２２と、前記設定部２２による設定に基づいて、前記動画像及び前記レリーズボタン２３の操作に基づき撮像される前記静止画像の撮像及び記録を制御する制御部２２とを備える。【選択図】  図３
2010103732.tif 000002
【特許請求の範囲】
【請求項１】
被写体光を撮像する撮像素子と、
前記撮像素子から出力される撮像信号に基づく動画像及び静止画像を記録する記録部と、
前記静止画像の撮像を指示するレリーズボタンと、
前記動画像の記録が行われている最中における前記レリーズボタン操作による撮像指示を、有効とするか無効とするかを設定する設定部と、
前記設定部による設定に基づいて、前記動画像及び前記レリーズボタンの操作に基づき撮像される前記静止画像の撮像及び記録を制御する制御部と、
を備えることを特徴とする撮像装置。
【請求項２】
前記設定部は、前記レリーズボタン操作による前記撮像指示を無効とする設定がなされた場合には、前記レリーズボタンの操作に基づく前記静止画像の撮像を指示する指示信号の、前記制御部に対する送信を不可に設定することを特徴とする請求項１記載の撮像装置。
【請求項３】
前記レリーズボタン操作による前記静止画像の撮像がなされた後に、前記設定部において、前記レリーズボタン操作による前記撮像指示を有効とするか無効とするかの設定が行われる場合には、
前記制御部は、前記レリーズボタンの操作がなされたときに、前記動画像の記録を一旦停止して、前記静止画像の撮像を行った後で、前記動画像の記録を再開し、前記設定部により前記レリーズボタン操作による前記撮像指示を有効とする設定がなされた場合には、前記静止画像を前記記録部に記録することを特徴とする請求項１記載の撮像装置。
【請求項４】
前記制御部は更に、記録再開された前記動画像の記録を停止し、前記静止画像の撮像後に記録再開された前記動画像を削除することを特徴とする請求項３記載の撮像装置。
【請求項５】
前記設定部により前記レリーズボタン操作による前記撮像指示を無効とする設定がなされた場合には、
前記制御部は、記録再開された前記動画像の記録を終了する指示がなされるまで、該動画像の記録を継続することを特徴とする請求項３または請求項４記載の撮像装置。
【請求項６】
前記制御部は、前記静止画像が撮像されている間であっても、音声記録動作は継続することを特徴とする請求項５記載の撮像装置。
【請求項７】
前記記録部に記録されている前記静止画像及び前記動画像を表示する表示部と、
前記表示部に表示させる表示内容を制御する表示制御部とを備え、
前記制御部は、前記動画像に前記静止画像を関連付けて前記記録部に記録させ、
前記表示制御部は、前記動画像を前記表示部に表示させる際に、前記静止画像が撮像されている間であって前記動画像が記録されていない間の前記動画像として、該静止画像を前記表示部に表示させることを特徴とする請求項５または請求項６記載の撮像装置。
【発明の詳細な説明】
【技術分野】
【０００１】
本発明は、動画像を記録することができる撮像装置に関するものである。
【背景技術】
【０００２】
静止画像及び動画像を記録することができる撮像装置であって、例えば一眼レフ式の電子カメラ等では、レリーズボタンを押下することにより静止画像の撮像を行い、動画ボタンを押下することにより動画像の記録の開始及び停止を行う。ここで、動画像を記録中にレリーズボタンが押下されると、動画像の記録を停止するとともに静止画像を撮像する撮像装置（例えば、特許文献１参照）、または、静止画像を撮像することなく動画像の記録を継続する撮像装置が存在する。
【特許文献１】特開２００６−３２３３７４号公報
【発明の開示】
【発明が解決しようとする課題】
【０００３】
ところで、動画像の記録中にレリーズボタンが押下されると動画像の記録を停止するとともに静止画像を撮像する撮像装置では、動画像を記録中に誤ってレリーズボタンを押下した場合等には、不必要な静止画像が撮像され、且つ必要な動画像の記録が停止されるという問題があった。また、動画像の記録中にレリーズボタンが押下されても静止画像を撮像することなく動画像の記録を継続する撮像装置では、動画像の記録中に静止画像の撮像を所望した場合等には、一旦、動画像の記録を停止させ、その後、静止画像を撮像する必要があり、撮像タイミングを逃すという問題があった。
【０００４】
本発明の目的は、動画像の記録中におけるレリーズボタンの押下に対する動画像及び静止画像の撮像及び記録を制御することができる撮像装置を提供することである。
【課題を解決するための手段】
【０００５】
本発明は以下のような解決手段により上記課題を解決する。なお、理解を容易にするために、本発明の実施の形態に対応する符号を付して説明するが、本発明はこれに限定されるものではない。
【０００６】
本発明の撮像装置は、被写体光を撮像する撮像素子（２０）と、前記撮像素子（２０）から出力される撮像信号に基づく動画像及び静止画像を記録する記録部（２６）と、前記静止画像の撮像を指示するレリーズボタン（３）と、前記動画像の記録が行われている最中における前記レリーズボタン操作による撮像指示を、有効とするか無効とするかを設定する設定部（２２）と、前記設定部（２２）による設定に基づいて、前記動画像及び前記レリーズボタン（３）の操作に基づき撮像される前記静止画像の撮像及び記録を制御する制御部（２２）とを備えることを特徴とする。
【発明の効果】
【０００７】
本発明の撮像装置によれば、動画像の記録中におけるレリーズボタンの押下に対する動画像及び静止画像の撮像及び記録を制御することができる。
【発明を実施するための最良の形態】
【０００８】
以下、図面を参照して、本発明の第１の実施の形態に係る電子カメラについて説明する。図１及び図２は第１の実施の形態に係る電子カメラ１の外観を示す図であり、図１は正面斜視図、図２は背面図である。
【０００９】
図１に示すように、電子カメラ１の正面中央部には、被写体からの光をカメラ内部に導く撮影レンズ２ａを備えたレンズユニット２が装着されている。また、電子カメラ１の上面には、静止画像の撮像を指示する際に操作されるレリーズボタン３、撮影モードを切り替える際に操作される撮影モードダイアル４が設けられている。また、電子カメラ１の正面には、動画像を記録する際に動画像と共に記録される音声等の周囲環境音を集音するマイク５が設けられている。
【００１０】
また、図２に示すように、電子カメラ１の背面上部には、撮影される被写体を視認する光学ファインダ６が設けられており、その下方には、ライブビュー画像、後述する記録媒体２６に記録されている静止画像や動画像、及び撮影に関する種々の情報などを表示する背面モニタ７が設けられている。背面モニタ７の右側には、環状に形成されたマルチセレクタ８が設けられており、その内側には、マルチセレクタ８の操作によって選択された項目の決定等の際に押下する決定ボタン８ａが設けられている。また、背面モニタ７の右側には、レリーズボタン３の操作に基づく静止画像の撮像を指示する指示信号の、後述する制御部２２に対する送信をオンオフするオンオフレバー１３、ライブビュー画像を背面モニタ７に表示させる際に操作されるライブビューボタン１０が設けられている。また、背面モニタ７の左側には、撮影された画像を背面モニタ７に再生表示させる際に操作される再生ボタン１１、電子カメラ１の各種設定を行うメニュー画面の表示などの際に操作されるメニューボタン１２が設けられている。
【００１１】
図３は、実施の形態に係る電子カメラ１のシステム構成を示すブロック図である。撮像素子２０は、ＣＣＤまたはＣＭＯＳ等により構成され、撮影レンズ２ａを介した被写体光を撮像して撮像信号を信号処理部２１に対して出力する。撮像素子２０から出力される撮像信号は、信号処理部２１においてアナログ信号からデジタル信号に変換され、制御部２２に対して出力される。
【００１２】
制御部２２は、マイクロプロセッサ等により構成され、電子カメラ１の各部を統括的に制御する。制御部２２は、信号処理部２１から出力されるデジタル信号の画像データに対して各種の画像処理（ホワイトバランス調正、色補正、階調補正等）を行い、画像処理された画像データを撮影日時、露出等の撮影に関する情報と共に、Ｅｘｉｆ（Ｅｘｃｈａｎｇａｂｌｅ  ｉｍａｇｅ  ｆｉｌｅ  ｆｏｒｍａｔ）等の所定の形式で、バッファメモリ２５に一時的に記憶させる。
【００１３】
操作部２３は、電源をオン／オフする電源スイッチ、図１及び図２に示すレリーズボタン３、撮影モードダイアル４、マルチセレクタ８、及び各種ボタン８ａ，１０，１１，１２等を含んで構成されている。記録媒体２６は、電子カメラ１に設けられたカードスロット（図示せず）に着脱可能に装着される可搬性を有する記録媒体であり、例えば、ＣＦカード、ＳＤカード、スマートメディア等が用いられる。記録媒体２６には、制御部２２によりバッファメモリ２５から読み込まれた画像データ及び画像データに付加されている撮影に関する情報等が記録される。また、記録媒体２６には、マイク５により集音された音が記録される。バス２７は、制御部２２から出力される制御信号を電子カメラ１の各部に送信するための送信路である。バス２７には、背面モニタ７、バッファメモリ２５、記録媒体２６が接続されている。
【００１４】
次に、図４に示すフローチャートを参照して、第１の実施の形態に係る電子カメラ１における動画像の記録時の処理について説明する。なお、電子カメラ１において動画像を記録する際には、まず、図２に示すライブビューボタン１０を押下することにより、背面モニタ７にライブビュー画像を表示させる。そして、背面モニタ７にライブビュー画像が表示されている状態で決定ボタン８ａを押下することにより、動画像の記録を開始する。動画像の記録を終了する際には、再度、決定ボタン８ａを押下する。なお、動画像の記録を開始するための操作ボタンと、動画像の記録を終了するための操作ボタンとを別に設けることもできる。また、この実施の形態においては、動画像を記録する際には周囲環境音（以下、音という）も記録するものとする。
【００１５】
まず、制御部２２は、ユーザーによりライブビューボタン１０が押下され、背面モニタ７にライブビュー画像が表示されている状態でユーザーにより決定ボタン８ａが押下されたことを確認すると、ライブビュー画像に基づく動画像及びマイク５により集音される音を記録媒体２６に記録させる処理を開始する（ステップＳ１０）。次に、制御部２２は、ユーザーによりレリーズボタン３が押下されたか否かを判別する（ステップＳ１１）。ステップＳ１１においてレリーズボタン３が押下されたと判別された場合には、制御部２２は、レリーズボタン３の押下に基づく静止画像の撮像を指示する指示信号を受信したか否かを判別する（ステップＳ１２）。
【００１６】
ここで、制御部２２に対する指示信号の送信のオンオフは、ユーザーによるオンオフレバー１３の操作によりなされる。動画像の記録が行われている最中におけるレリーズボタン３の操作による撮像指示を有効とする場合には、オンオフレバー１３の位置をオン側（例えば右側）に移動させることにより制御部２２に対する指示信号の送信をオンにする設定を行う。また、動画像の記録が行われている最中におけるレリーズボタン３の操作による撮像指示を無効とする場合には、オンオフレバー１３の位置をオフ側（例えば左側）に移動させることにより制御部２２に対する指示信号の送信をオフにする設定を行う。この設定は、動画像の記録が開始される前、または動画像の記録が開始されてからレリーズボタン３が押下されるまでの間に行うことができる。
【００１７】
制御部２２は、ステップＳ１２において指示信号を受信した場合には、制御部２２に対する指示信号の送信をオンにする設定、即ちレリーズボタン３の操作による撮像指示を有効とする設定がなされていると判別し、動画像及び音の記録を停止する（ステップＳ１３）。そして、制御部２２は、静止画像を撮像し、撮像した静止画像を記録媒体２６に記録する（ステップＳ１４）。
【００１８】
一方、ステップＳ１１においてレリーズボタン３が押下されていないと判別された場合には、制御部２２は、ユーザーにより動画像及び音の記録の終了を指示する決定ボタン８ａが押下されたか否かを判別する（ステップＳ１５）。また、ステップＳ１２において指示信号を受信することができない場合にも、制御部２２は、制御部２２に対する指示信号の送信を不可にする設定、即ちレリーズボタン３の操作による撮像指示を無効とする設定がなされていると判別し、決定ボタン８ａが押下されたか否かを判別する（ステップＳ１５）。
【００１９】
ステップＳ１５において決定ボタン８ａが押下されたと判別された場合には、制御部２２は、動画像及び音の記録を停止する（ステップＳ１６）。一方、ステップＳ１５において決定ボタン８ａが押下されていないと判別された場合には、制御部２２は、動画像及び音の記録を継続し、ステップＳ１１においてレリーズボタン３が押下されるまで、ステップＳ１２において指示信号を受信するまで、またはステップＳ１５において決定ボタン８ａが押下されるまで、ステップＳ１１，Ｓ１２，Ｓ１５の処理を繰り返す。
【００２０】
次に、本発明の第２の実施の形態に係る電子カメラについて説明する。なお、第２の実施の形態に係る電子カメラは第１の実施の形態に係る電子カメラ１が有するオンオフレバー１３を備えていない点で異なるが、その他の点においては第１の実施の形態に係る電子カメラ１と同一の構成を有している。したがって、第２の実施の形態に係る電子カメラの構成についての説明を省略し、同一の構成には同一の符号を用いて説明を行う。
【００２１】
図５は、第２の実施の形態に係る電子カメラ１における動画像の記録時の処理について説明するためのフローチャートである。なお、この実施の形態においては、動画像の記録を開始する前に、動画像の記録が行われている最中におけるレリーズボタン３の操作による撮像指示を有効とするか無効とするかの設定を行う。例えば、まず、制御部２２は、ユーザーによるメニューボタン１２等の操作に従い、図６に示すようなメニューを背面モニタ７において表示し、ユーザーによる選択を取得する。ユーザーが「静止画像を撮影」を選択した場合には、制御部２２は、動画像の記録が行われている最中におけるレリーズボタン３の押下による撮像指示を有効とする設定を行う。一方、ユーザーが「動画像の記録を継続」を選択した場合には、制御部２２は、動画像の記録が行われている最中におけるレリーズボタン３の押下による撮像指示を無効とする設定を行う。
【００２２】
次に、制御部２２は、図４に示すステップＳ１０，Ｓ１１の処理と同様に、動画像及び音を記録媒体２６に記録させる処理を開始し（ステップＳ２０）、ユーザーによりレリーズボタン３が押下されたか否かを判別する（ステップＳ２１）。ステップＳ２１においてレリーズボタン３が押下されたと判別された場合には、制御部２２は、動画像の記録が行われている最中におけるレリーズボタン３の押下による撮像指示が有効であるか否かを判別する（ステップＳ２２）。即ち、予め、ユーザーの選択に従い、レリーズボタン３の押下による撮像指示を有効または無効の設定がなされているため、制御部２２は、動画像の記録前の設定内容に基づいて撮像指示が有効であるか否かを判別する。
【００２３】
制御部２２は、ステップＳ２２において撮像指示が有効であると判別した場合には、動画像及び音の記録を停止する（ステップＳ２３）。そして、制御部２２は、静止画像を撮像し、撮像した静止画像を記録媒体２６に記録する（ステップＳ２４）。一方、ステップＳ２１においてレリーズボタン３が押下されていないと判別された場合、またはステップＳ２２において撮像指示が無効であると判別された場合には、制御部２２は、図４に示すステップＳ１５、Ｓ１６の処理と同様の処理を行う（ステップＳ２５，Ｓ２６）。一方、ステップＳ２５において決定ボタン８ａが押下されていないと判別された場合には、制御部２２は、動画像及び音の記録を継続し、ステップＳ２１においてレリーズボタン３が押下されるまで、ステップＳ２２において撮像指示が有効と判別されるまで、またはステップＳ２５において決定ボタン８ａが押下されるまで、ステップＳ２１，Ｓ２２，Ｓ２５の処理を繰り返す。
【００２４】
第１及び第２の実施の形態に係る電子カメラによれば、動画像の記録中にレリーズボタンが押下される前に、動画像の記録中にレリーズボタンが押下されたときに動画像の記録を優先するのか、静止画像の撮像を優先するのかを選択することができ、動画像の記録中におけるレリーズボタンの押下に対する動画像及び静止画像の撮像及び記録を制御することができる。即ち、静止画像を撮像する予定がなく、動画像のみを記録する場合には、レリーズボタンの押下による撮像指示が無効である設定にしておくことで、動画像の記録中に誤ってレリーズボタンを押下した場合にも、動画像の記録は停止されることなく、継続される。また、動画像の記録中に静止画像を撮像する予定がある場合には、レリーズボタンの押下による撮像指示が有効である設定にしておくことで、動画像の記録中であっても、静止画像を、撮像タイミングを逃すことなく、撮像することができる。
【００２５】
次に、本発明の第３の実施の形態に係る電子カメラについて説明する。なお、第３の実施の形態に係る電子カメラにおいては、第２の実施の形態に係る電子カメラ１の構成と同一の構成を有しているため、第３の実施の形態に係る電子カメラの構成についての説明を省略し、同一の構成には同一の符号を用いて説明を行う。
【００２６】
図７は、第３の実施の形態に係る電子カメラ１における動画像の記録時の処理について説明するためのフローチャートである。なお、図７に示すステップＳ３０，Ｓ３１の処理は、図４に示すステップＳ１０，Ｓ１１の処理と同様であるため、説明を省略する。
【００２７】
ステップＳ３１において、図８のタイムチャートに示す時間ｔ１のときにレリーズボタン３が押下された場合には、制御部２２は、動画像の記録を一旦停止する（ステップＳ３２）。このとき、図８に示すように、音の記録は継続して行われる。なお、図８に示す時間ｔ０は、ステップＳ３０において動画像及び音の記録を開始した時間である。そして、制御部２２は、静止画像を撮像し（ステップＳ３３）、静止画像の撮像を終了した時間ｔ２から動画像の記録を再開する（ステップＳ３４）。なお、撮像された静止画像は、一時的にバッファメモリ２５に記憶される。
【００２８】
次に、制御部２２は、図９に示すようなメニューを背面モニタ７において表示し（ステップＳ３５）、ユーザーによる選択を取得する。図８に示す時間ｔ３のときにユーザーが「静止画像を記録」を選択した場合には、制御部２２は、レリーズボタン３の押下による撮像指示が有効であると判別し（ステップＳ３６、Ｙｅｓ）、動画像の記録を停止する（ステップＳ３７）。次に、制御部２２は、ステップＳ３３において撮像しバッファメモリ２５に記憶されている静止画像を記録媒体２６に記録し（ステップＳ３８）、ステップＳ３４において記録再開した動画像及び音を削除する（ステップＳ３９）。即ち、図８に示す時間ｔ２からｔ３までの間に記録された同画像及び音を削除する。
【００２９】
なお、ステップＳ３５におけるメニューの表示は、動画像の記録が終了した後、即ち、ユーザーにより動画像の記録の終了を指示する決定ボタン８ａが押下された後（ステップＳ４０、Ｙｅｓ）に行ってもよい。
【００３０】
一方、ステップＳ３１においてレリーズボタン３が押下されていない場合には、制御部２２は、図４に示すステップＳ１５、Ｓ１６の処理と同様の処理を行う（ステップＳ４０，Ｓ４１）。また、ステップＳ３５において、図１０に示す時間ｔ３のときにユーザーが「動画像の記録を継続」を選択することにより、レリーズボタン３の押下による撮像指示が無効であると判別された場合には、制御部２２は、動画像及び音の記録を継続する。この場合には、ステップＳ３３で撮像された静止画像は記録媒体２６に記録されずに消去されることになる。そして、ステップＳ４０において、図１０に示す時間ｔ４のときに決定ボタン８ａが押下された場合には、制御部２２は、動画像及び音の記録を停止する（ステップＳ４１）。このとき、ステップＳ３３において撮像した静止画像を、記録された動画像及び音に関連付けて記録媒体２６に記録させる。例えば、静止画像を動画像のタグデータとして動画像に付加して記録させることもでき、動画像の情報（例えば、ファイル名等）を静止画像のタグデータ（Ｅｘｉｆデータ）として付加したものを記録させることもできる。
【００３１】
図１０に示すように、時間ｔ０から時間ｔ４まで記録された動画像を背面モニタ７において再生表示する際には、静止画像が撮像されていた間、即ち時間ｔ１から時間ｔ２までの間、僅かな時間であるが動画像が記録されていない。したがって、時間ｔ１から時間ｔ２まで記録された音が再生（電子カメラ１が備える図示しないスピーカ等において）されている間、動画像が記録されていない間の画像として、背面モニタ７上には動画像に関連付けて記録されている静止画像（ステップＳ３８で記録された静止画像）を表示させる。なお、静止画像を表示させる代わりにｔ０〜ｔ１までの間に記録された動画の最終フレームの画像や、あるいは電子カメラ１内に設けられている所定の画像（例えば黒画像）を表示させることもでき、この場合には、静止画像を動画像に関連付けて記録させておく必要もない。また、静止画像が撮像されていた間（時間ｔ１から時間ｔ２までの間）が僅かな時間であることから、時間ｔ１から時間ｔ２までの画像及び音の再生表示をカットして、時間ｔ０からｔ１まで及びｔ２からｔ４までの動画像及び音を連続して（連結して）再生表示させることもできる。
【００３２】
なお、上述の静止画像を用いた再生表示、黒画像を用いた再生表示及びカットする再生表示の少なくとも１つを備えていればよく、２つ以上の再生表示機能を備えている場合には、ユーザーにより予め、または再生表示時に、何れの再生表示機能により再生表示を行うかを選択させる。
【００３３】
第３の実施の形態に係る電子カメラによれば、動画記録中にレリーズボタンが押下されたときに、動画像の記録を一旦停止させ、静止画像を撮像し、動画像の記録を再開させる。そして、撮像された静止画像及び記録された動画像の処理を選択させる。したがって、静止画像を撮像する予定がなく、動画像のみを記録する場合には、誤ってレリーズボタンが押下された後も動画像は記録を再開させるため、動画像の記録を停止されることなく、ユーザーが動画像の記録の終了を指示する決定ボタンを押下するまで動画像の記録は継続される。また、動画像の記録中に静止画像を撮像する予定がある場合には、静止画像の撮像を指示するレリーズボタンが押下されると、撮影タイミングを逃すことなく静止画像を確実に撮像し、その静止画像を後で記録することができる。
【図面の簡単な説明】
【００３４】
【図１】第１の実施の形態に係る電子カメラの外観を示す正面斜視図である。
【図２】第１の実施の形態に係る電子カメラの外観を示す背面図である。
【図３】第１の実施の形態に係る電子カメラのシステム構成を示すブロック図である。
【図４】第１の実施の形態に係る電子カメラの動画像記録時の処理について説明するためのフローチャートである。
【図５】第２の実施の形態に係る電子カメラの動画像記録時の処理について説明するためのフローチャートである。
【図６】メニューが背面モニタに表示されている状態を示す図である。
【図７】第３の実施の形態に係る電子カメラの動画像記録時の処理について説明するためのフローチャートである。
【図８】第３の実施の形態に係る電子カメラの動画撮影時の処理について説明するためのタイムチャートである。
【図９】メニューが背面モニタに表示されている状態を示す図である。
【図１０】第３の実施の形態に係る電子カメラの動画撮影時の処理について説明するためのタイムチャートである。
【符号の説明】
【００３５】
１…電子カメラ、２…レンズユニット、２ａ…撮影レンズ、３…レリーズボタン、４…撮影モードダイアル、５…マイク、７…背面モニタ、８…マルチセレクタ、８ａ…決定ボタン、１０…ライブビューボタン、１３…オンオフレバー、２０…撮像素子、２１…信号処理部、２２…制御部、２３…操作部、２５…バッファメモリ、２６…記録媒体、２７…バス。
【図１】
2010103732.tif 000003
【図２】
2010103732.tif 000004
【図３】
2010103732.tif 000005
【図４】
2010103732.tif 000006
【図５】
2010103732.tif 000007
【図６】
2010103732.tif 000008
【図７】
2010103732.tif 000009
【図８】
2010103732.tif 000010
【図９】
2010103732.tif 000011
【図１０】
2010103732.tif 000012